【手続補正書】
【提出日】平成17年3月9日(2005.3.9)
【手続補正１】
【補正対象書類名】明細書
【補正対象項目名】特許請求の範囲
【補正方法】変更
【補正の内容】
【特許請求の範囲】
【請求項１】
画像を読み込む手段と、
読み込まれた画像を画像ファイルに変換する手段と、
ＳＭＴＰプロトコルで変換された画像ファイルを送信する手段と、
ＳＭＴＰプロトコルで画像ファイルを受信する手段と、
受信された画像ファイルを画像に変換する手段と、
変換された画像を印刷する手段と、
他機の受信能力をＳＭＴＰプロトコルで問い合わせる手段と、
自機の受信能力をＳＭＴＰプロトコルで応答する手段とを備え、
画像ファイルの送信前に受信能力の問い合わせ手段で送信先へ問い合わせを行い、受信機からの受信能力の応答を受信して画像を受信機の受信能力に応じた画像ファイルに変換して送信することを特徴とするインターネットファクシミリ装置。
【請求項２】
受信能力を問い合わせる手段はｍｄｎのメッセージフォーマットを使用することを特徴とする請求項１記載のインターネットファクシミリ装置。
【請求項３】
受信能力の応答の手段はｍｄｎのメッセージフォーマットを使用することを特徴とする請求項１記載のインターネットファクシミリ装置。
【請求項４】
メッセージフォーマットにＧ３ＦＡＸのＴ３０の手順信号フォーマットを使用することを特徴とする請求項３記載のインターネットファクシミリ装置。
【請求項５】
画像ファイルの送信時に、送信先へ受信したことを確認するメッセージを送信することを要求するメッセージを送信する手段と、送信元へ受信したことを確認するメッセージを送信する手段を更に有することを特徴とする請求項１記載のインターネットファクシミリ装置。
【請求項６】
画像ファイルの送信時に、受信したことを確認するメッセージを送信することを要求するメッセージを送信する手段は、ｍｄｎのフォーマットを使用することを特徴とする請求項５記載のインターネットファクシミリ装置。
【請求項７】
受信したことを確認するメッセージを送信する手段は、ｍｄｎのフォーマットを使用することを特徴とする請求項５記載のインターネットファクシミリ装置。
【請求項８】
ｍｄｎの確認メッセージに、正常受信したことを示すメッセージと受信したページ数を格納することを特徴とする請求項７記載のインターネットファクシミリ装置。
【請求項９】
ｍｄｎの確認メッセージに、エラー受信したことを示すメッセージと受信したページ数とエラー受信したページを格納することを特徴とする請求項７記載のインターネットファクシミリ装置。
【請求項１０】
Ｔ３０フレームのＣＳＩ，ＮＳＦ、ＤＩＳフレームを送ることを特徴とする請求項４記載のインターネットファクシミリ装置。
【請求項１１】
画像ファイルの送信時に、送信機の情報のメッセージを送信する手段を更に有することを特徴とする請求項１記載のインターネットファクシミリ装置。
【請求項１２】
メッセージフォーマットにＧ３ＦＡＸのＴ３０の手順信号フォーマットを使用することを特徴とする請求項１１記載のインターネットファクシミリ装置。
【請求項１３】
Ｔ３０フレームのＴＳＩ，ＮＳＳ、ＤＣＳフレームを送ることを特徴とする請求項１２記載のインターネットファクシミリ装置。
【請求項１４】
画像を読み込む工程と、
読み込まれた画像を画像ファイルに変換する工程と、
ＳＭＴＰプロトコルで変換された画像ファイルを送信する工程と、
ＳＭＴＰプロトコルで画像ファイルを受信する工程と、
受信された画像ファイルを画像に変換する工程と、
変換された画像を印刷する工程と、
他機の受信能力をＳＭＴＰプロトコルで問い合わせる工程と、
自機の受信能力をＳＭＴＰプロトコルで応答する工程とを備え、
画像ファイルの送信前に受信能力の問い合わせ工程で送信先へ問い合わせを行い、受信機からの受信能力の応答を受信して画像を受信機の受信能力に応じた画像ファイルに変換して送信することを特徴とする方法。
【請求項１５】
画像を読み込む手段と、
読み込まれた画像を画像ファイルに変換する手段と、
ＳＭＴＰプロトコルで変換された画像ファイルを送信する手段と、
他機の受信能力をＳＭＴＰプロトコルで問い合わせる手段とを備え、
画像ファイルの送信前に受信能力の問い合わせ手段で送信先へ問い合わせを行い、送信先からの受信能力の応答に応じて画像を画像ファイルに変換して送信することを特徴とするインターネットファクシミリ装置。
【請求項１６】
ＳＭＴＰプロトコルで画像ファイルを受信する手段と、
受信された画像ファイルを画像に変換する手段と、
変換された画像を印刷する手段と、
自機の受信能力をＳＭＴＰプロトコルで応答する手段とを備え、
画像ファイルの受信前に送信元からの受信能力の問い合わせに応答して、受信能力に応じて変換された画像ファイルを受信することを特徴とするインターネットファクシミリ装置。
【請求項１７】
インターネットファクシミリ装置を有するネットワークシステムであって、
前記インターネットファクシミリ装置が、
画像を読み込む手段と、
読み込まれた画像を画像ファイルに変換する手段と、
ＳＭＴＰプロトコルで変換された画像ファイルを送信する手段と、
ＳＭＴＰプロトコルで画像ファイルを受信する手段と、
受信された画像ファイルを画像に変換する手段と、
変換された画像を印刷する手段と、
他機の受信能力をＳＭＴＰプロトコルで問い合わせる手段と、
自機の受信能力をＳＭＴＰプロトコルで応答する手段とを備え、
画像ファイルの送信前に受信能力の問い合わせ手段で送信先へ問い合わせを行い、受信機からの受信能力の応答を受信して画像を受信機の受信能力に応じた画像ファイルに変換して送信することを特徴とするネットワークシステム。
【請求項１８】
インターネットファクシミリ装置を有するネットワークシステムの制御方法であって、
画像を読み込む工程と、
読み込まれた画像を画像ファイルに変換する工程と、
ＳＭＴＰプロトコルで変換された画像ファイルを送信する工程と、
ＳＭＴＰプロトコルで画像ファイルを受信する工程と、
受信された画像ファイルを画像に変換する工程と、
変換された画像を印刷する工程と、
他機の受信能力をＳＭＴＰプロトコルで問い合わせる工程と、
自機の受信能力をＳＭＴＰプロトコルで応答する工程とを備え、
画像ファイルの送信前に受信能力の問い合わせ工程で送信先へ問い合わせを行い、受信機からの受信能力の応答を受信して画像を受信機の受信能力に応じた画像ファイルに変換して送信することを特徴とするネットワークシステムの制御方法。
【請求項１９】
インターネットファクシミリ装置を制御する制御プログラムをコンピュータ読み取り可能な形態で記憶する記憶媒体であって、
前記制御プログラムが、
画像を読み込む工程と、
読み込まれた画像を画像ファイルに変換する工程と、
ＳＭＴＰプロトコルで変換された画像ファイルを送信する工程と、
ＳＭＴＰプロトコルで画像ファイルを受信する工程と、
受信された画像ファイルを画像に変換する工程と、
変換された画像を印刷する工程と、
他機の受信能力をＳＭＴＰプロトコルで問い合わせる工程と、
自機の受信能力をＳＭＴＰプロトコルで応答する工程とを備え、
画像ファイルの送信前に受信能力の問い合わせ工程で送信先へ問い合わせを行い、受信機からの受信能力の応答を受信して画像を受信機の受信能力に応じた画像ファイルに変換して送信することを特徴とする記憶媒体。
【請求項２０】
受信装置の能力情報を記憶する記憶手段と、
前記記憶手段に受信装置の能力情報が有るか否かを検出する検出手段と、
前記検出手段の検出結果に応じて、ＳＭＰＴプロトコルで前記受信装置の能力情報を要求する要求手段とを有することを特徴とする通信装置。
【請求項２１】
所定時間が経過したか否かを判定する判定手段と、
受信装置の情報を要求する要求手段とを有し、
前記要求手段は、前記所定時間が経過して無い場合に、ＳＭＴＰプロトコルで受信装置に前記情報を要求することを特徴とする通信装置。